(57)【要約】      （修正有）【課題】折り畳んだとき、飾り物となり、飾りや観賞機能を兼ね備えて、屋内の何れかの場所に置いてもよい折畳み式ペットかごを提供する。【解決手段】装飾パネル部は回転収納可能な座板の外側に設けられ、該装飾パネル部は該回転収納可能な座板が回転して縦向き収納状態になったとき、外部に露出し、該折畳み式柵部品は前柵と二つの側柵があり、該前柵の片側は回転収納可能な座板の前側に設けられ、該前柵が回転して横向き収納状態または縦向き使用状態になり、該二側柵の片側は収納バックフレーム体の二側板に設けられ、該二側柵が回転して該収納空間の中に納められる収納状態に設けられ、または回転して該支持パネルの上と対称し、前柵と連結して、囲いの形式の使用状態に設けられ、このように構成された折畳み式ペットかごは折り畳んだとき、飾り物として用いられ、その柵部品が完全に収納され、隠されるために、臭気の漂う心配がないという実用性・進歩性がある。【選択図】図２
0003153359.tif 000002
【実用新案登録請求の範囲】
【請求項１】
縦向き框体に設けられた収納バックフレーム体１０が備わり、それによって、着地板１１、二側板１２、一頂板１３、一裏板１４と一収納空間１５が形成され、
支持パネル２１と接続側２２を持つ回転収納可能な座板２０が備わり、該接続側２２は該収納バックフレーム体１０の着地板１１に設けられて、該回転収納可能な座板２０が回転して横向き使用状態になり、または回転して縦向きになり、該収納バックフレーム体１０の収納空間１５を収納するように設けられ、
該回転収納可能な座板２０の支持パネル２１と対向した反対側に設けられた装飾パネル部３０が備わり、該装飾パネル部３０は、該回転収納可能な座板２０が縦向き収納状態になったとき、外部に露出し、
少なくとも一つの前柵４１と二つの側柵４２を持つ折畳み式柵部品４０が備わり、該前柵４１の片側は該回転収納可能な座板２０の前側に設けられ、該前柵４１が回転して横向き収納状態に設けられ、または縦向き使用状態に設けられるようになり、該二側柵４２の片側は該収納バックフレーム体１０の二側板１２に設けられ、該二側柵４２が回転して該収納空間１５の中に納められる収納状態に設けられ、または回転して該回転収納可能な座板２０の支持パネル２１の上と対称し、該前柵４１と連結して、囲いの形式の使用状態に設けられ、また、該前柵４１と二側柵４２との間には更に位置決めユニット４３が設けられて、連結した状態が位置決められるようになることを特徴とする折畳み式ペットかご。
【請求項２】
該収納バックフレーム体１０の頂板１３は、逆Ｖの曲がった形態に設けられることを特徴とする請求項１に記載の折畳み式ペットかご。
【請求項３】
該収納バックフレーム体１０の頂板１３は、物置台１６が形成されることを特徴とする請求項１に記載の折畳み式ペットかご。
【請求項４】
該装飾パネル部３０は、以下の何れかの装飾物、または何れかの組合せ、平面または立体模様、図案、彫刻入り、框型絵柄、ランプボックス、革の一つに該当するものが設けられることを特徴とする請求項１に記載の折畳み式ペットかご。
【請求項５】
該回転収納可能な座板２０の支持パネル２１の両側には更に、突出止め縁２３が設けられ、それによって、該二側板１２が回転して該支持パネル２１の上の角度に対応したとき、該突出止め縁２３に止められ、位置決めが得られるようになることを特徴とする請求項１に記載の折畳み式ペットかご。
【請求項６】
該折畳み式柵部品４０の前柵４１、側柵４２のいずれかの一つには更に、可動扉５０を設けて、ペットが出入りできる開閉式開き口が形成されることを特徴とする請求項１に記載の折畳み式ペットかご。
【請求項７】
該収納バックフレーム体１０の頂板１３にはまた、取っ手１７を設けて、該折畳み式ペットかご全体を手にして持ち歩けるように設けられることを特徴とする請求項１に記載の折畳み式ペットかご。
【請求項８】
該折畳み式柵部品４０の二側柵４２は、折曲げ式枠板形態であることを特徴とする請求項１に記載の折畳み式ペットかご。
【考案の詳細な説明】
【技術分野】
【０００１】
本考案はペットかごに関わり、特に折畳んだとき、飾り物、柵隠し機能を兼ね備えたオリジナルな折畳み式ペットかご構造に関する。
【背景技術】
【０００２】
家で犬や猫などのペットを飼っている人々にとって、ペットかごは不可欠なものであり、ペットかごは屋外の庭や廊下に置かれていたが、ペットを可愛がって屋内に入れる人が多くなって、ペットが大事に扱われる今日は、ペットかごが屋内に置かれ、または屋外にペットかごを建て、屋内に囲い式ペットかごを用意して、様々な状況に応じてペットの居場所が置かれている。
【０００３】
ペットかごが屋内に置かれた場合、多くの人にとっては一時的な必要性に過ぎず、それを使用しないとき、該ペットかごは屋内でスペースがかかり、見た目が悪いものになり、臭気が漂う大きな邪魔物になるかもしれない。それに対応するために、関連業者は  折畳み式ペットかご体構造を開発したが、しかし、従来の折畳み式ペットかご構造の設計では、以下のような問題点が残されている。
１．  従来の折畳み式ペットかごでは、折畳み構造上、単にその囲いを取外したり、折畳んだりして収納するが、折畳んだとき、サイズは小さくなったが、見た目はやはりペットかごに見える。また、しばらく使っていたペットかごは、囲いの上にペットに咬まれたあと、摩損が残され、見た目が悪いため、折畳んだペットかごは、置物部屋に入れておかない限り、屋内の客間、台所、部屋などの中に入れて、いい気持がしない。
２．  また、従来の折畳み式ペットかごは折り畳んだとき、囲いが露出するが、その使用中、その囲いはペットに咬まれ、小便などが掛けられ、残された臭気が周りに広がり、環境衛生や品質にマイナス影響を与える。
【０００４】
それゆえ、上述した従来の折畳み式ペットかご構造に存在する問題点について、より理想的で実用性のあるオリジナルな構造を開発するのが、使用者が望むことで、関係業者が努力し、研究開発して突破すべき目標と方向でもある。
【０００５】
それを鑑みて、考案者は関連製品の製造、開発や設計に携わる長年の経験を持っており、上述の目標について詳しく設計し、評価したうえ、ようやく実用性のある本考案を得られたわけである。
【考案の概要】
【考案が解決しようとする課題】
【０００６】
本考案は、折畳み式ペットかごを提供することを目的とし、解決しようとする問題点は、従来の折畳み式ペットかごの使用時、折畳みの見た目が悪く、柵に残された臭気がその周辺に広がり、環境衛生の品質にマイナス影響を与えたという問題点を改良して突破すること。
【課題を解決するための手段】
【０００７】
本考案の課題を解決するための手段つまり技術特徴として、収納バックフレーム体、回転収納可能な座板、装飾パネル部と折畳み式柵部品からなる該折畳み式ペットかごであり、支持パネルと接続側を持つ回転収納可能な座板が備わり、該接続側は該収納バックフレーム体の着地板に設けられて、該回転収納可能な座板が横向き使用状態に回転して設けられ、または縦向きに回転して、該収納バックフレーム体の収納空間を収納するように設けられ、該回転収納可能な座板の支持パネルと対向した反対側に設けられた装飾パネル部が備わり、該装飾パネル部は、該回転収納可能な座板が縦向き収納状態になったとき外部に露出し、一つの前柵と二つの側柵を持つ折畳み式柵部品が備わり、該前柵の片側は該回転収納可能な座板の前側に設けられ、該前柵が回転して横向き収納状態に、または縦向き使用状態に設けられるようになり、該二側柵の片側は該収納バックフレーム体の二側板に設けられ、該二側柵が回転して該収納空間の中に納められる収納状態に設けられ、または回転して該回転収納可能な座板の支持パネルの上と対称し、該前柵と連結して、囲いの形式の使用状態に設けられていることを特徴とするものであり、このオリジナルな設計により、本考案は従来の技術に比べて、以下の効果が達成される。
その一、該折畳み式柵部品は折り畳んだとき、該収納バックフレーム体と回転収納可能な座板から形成された内部空間に収納、隠され、その外部は該収納バックフレーム体と回転収納可能な座板の外観設計及び該装飾パネル部の装飾形態設計により、該折畳み式ペットかごは折り畳んだとき、飾り物となり、飾りや観賞機能を兼ね備えて、屋内の何れかの場所に置いてもよいという実用性・進歩性がある。
その二、その柵部品は完全に収納され、隠されるため、臭気の漂う心配がなく、環境の衛生と品質が向上するという実用性・進歩性がある。
【考案の効果】
【０００８】
本考案により、以下のように効果向上の事実がある。
１．  本考案に掲示した  “折畳み式ペットかご”  は、該収納バックフレーム体、回転収納可能な座板、装飾パネル部と折畳み式柵部品からなるオリジナルな構造設計であり、該畳み式柵部品は折り畳んだとき、該収納バックフレーム体と回転収納可能な座板からなる内部空間に収納され、隠され、その外部は該収納バックフレーム体と回転収納可能な座板の外観設計及び該装飾パネル部の装飾形態設計により、該折畳み式ペットかごは折り畳んだとき、飾り物となり、飾りや観賞機能を兼ね備えて、屋内の何れかの場所に置いてもよいという実用性・進歩性がある。
２．  その柵部品は該収納バックフレーム体と回転収納可能な座板からなる内部空間に完全に収納され、隠されるため、臭気の漂う心配がなく、環境の衛生と品質が向上するという実用性・進歩性がある。
【０００９】
本考案により、以下のように新しい効果がある。
１．  該収納バックフレーム体の頂板に物置台を設けた構造設計により、折畳み式ペットかごは折り畳んだとき、飾り物や日用品を入れるための置物棚機能を兼ね備えて、付加価値が向上する。
２．  該収納バックフレーム体の頂板に取っ手を設けた構造設計により、該折畳み式ペットかご全体を手にして、持ち歩ける収納状態になる機能とメリットがある。
上述の実施例に掲示したのは、本考案を具体的に説明するための内容であり、文中で専門用語を用いて説明してきたが、それを以って本考案の実用新案登録請求の範囲を制限してならず、また、この分野が分かる者は本考案のコンセプトや考えを理解したうえ、変更や修正などを行ってこれと同等な効果があるものを得たとしても、これらの変更や修正はすべて後述の実用新案登録請求の範囲に含まれるものとする。
【図面の簡単な説明】
【００１０】
【図１】本考案の折畳み式ペットかご構造の好適な実施例の組合立体図。
【図２】本考案の折畳み式ペットかごを折畳むための作動イメージ。
【図３】本考案の折畳み式ペットかごを折畳んだ状態の立体図。
【図４】本考案の折畳み式ペットかごを折畳んだ状態の断面図。
【図５】本考案の折畳み式ペットかご結構のもう一つの実施例における展開使用状態の立体図。
【図６】本考案の折畳み式ペットかご構造のもう一つの実施例の折畳んだ状態の立体図。
【図７】本考案の取っ手付き収納バックフレーム体頂板の実施例図。
【図８】本考案の折畳み式ペットかご構造のもう一つの実施例図。
【考案を実施するための形態】
【００１１】
図１〜図４は、本考案の折畳み式ペットかごの好適な実施例で、これらの実施例は説明のみに用いられ、実用新案登録請求の際、それらの構造に制限されないものとする。該折畳み式ペットかごＡは
縦向き框体に設けられた収納バックフレーム体１０が備わり、それによって、着地板１１、二側板１２、一頂板１３、一裏板１４と一収納空間１５が形成され、本実施例の頂板１３は、屋根のように逆Ｖの曲がった形態に設けられ、
支持パネル２１と接続側２２つまり接続側部を持つ回転収納可能な座板２０が備わり、該接続側２２は該収納バックフレーム体１０の着地板１１に設けられて、該回転収納可能な座板２０が横向き使用状態に回転して設けられ、または縦向きに回転して、該収納バックフレーム体１０の収納空間１５を収納するように設けられることを特徴とする。なお、横向きとは、該折畳み式ペットかごＡが載置される床面又は机上面等の平面に平行な方向を指す。また、縦向きとは該平面に垂直な方向を指す。
【００１２】
さらに該折畳み式ペットかごＡは、該回転収納可能な座板２０の支持パネル２１と対向した反対側に設けられた装飾パネル部３０が備わり、該装飾パネル部３０は、該回転収納可能な座板２０が縦向き収納状態になったとき、外部に露出し、
少なくとも一つの前柵４１と二つの側柵４２を持つ折畳み式柵部品４０が備わり、該前柵４１の片側は該回転収納可能な座板２０の前側に設けられ、該前柵４１が回転して横向き収納状態に設けられ、または縦向き使用状態に設けられるようになり、該二側柵４２の片側は該収納バックフレーム体１０の二側板１２の外側に設けられ、該二側柵４２が回転して該収納空間１５の中に納められる収納状態に設けられ、または回転して該回転収納可能な座板２０の支持パネル２１の上と対称し、つまり該二側柵４２の一方と他方が相互に平行をなして、該前柵４１と連結して、凹形の囲いの形式の使用状態に設けられ、また、該前柵４１と二側柵４２との間には更に位置決めユニット４３が設けられて、連結した状態が位置決められる。該位置決めユニット４３は多種の形態があり、例えば、オスメスバックル、ピン、粘着バンド、磁力吸引キット、ネジ部品など、いずれも実施の形態になることを特徴とする。なお、前とは図１において、右下方向、つまり、前柵４１が指向する方向を指し、側とは、図１中左下方向又は右上方向を指す。また、框体とは、例えば、化粧板を示す。
【００１３】
該回転収納可能な座板２０の支持パネル２１の両側には更に、突出止め縁２３が設けられ、それによって、該二側板１２が回転して該支持パネル２１上の使用角度に対応したとき、該突出止め縁２３に止められ、位置決めが得られるようになる。
【００１４】
該装飾パネル部３０は、以下の何れかの装飾物、または何れかの組合せ、平面または立体模様、図案、彫刻入り、框型絵柄、ランプボックス、革の一つに該当する装飾形態が設けられる。
【００１５】
上述の構造組合わせにより、本考案の使用や折り畳みの作動状態について以下のように説明する。
【００１６】
図１に示すのは、該折畳み式ペットかごＡを展開した使用状態イメージであり、その状態のもとで、該収納バックフレーム体１０は縦向き角度になり、該回転収納可能な座板２０は回転して横向き角度になり、該支持パネル２１が上向きになるように構成されて、該折畳み式柵部品４０の前柵４１と二側柵４２はいずれも、縦向き展開状態になり、相互に組合わせて凹形の囲いに形成し、更に、該収納バックフレーム体１０と共に口字形の囲いの空間を形成して、それで、ペットをその囲いの中へ入れて、その活動範囲を制限することができる。
【００１７】
図２に示すように、該折畳み式ペットかごＡを折り畳むとき、まず、該折畳み式柵部品４０の二側柵４２を回転して、該収納バックフレーム体１０の収納空間１５に納め、それから、該前柵４１を横向きにして、該回転収納可能な座板２０の支持パネル２１上に納めて、その後、該回転収納可能な座板２０を上向きに回転し、縦向きにして、該収納バックフレーム体１０の収納空間１５に納める収納状態にする（図３、図４）。
【００１８】
該折畳み式ペットかごＡは図３、図４に示される折り畳んだ状態になったとき、該折畳み式柵部品４０の前柵４１と二側柵４２は完全に該収納バックフレーム体１０と回転収納可能な座板２０と対向して形成された内部空間に納められ、隠されるため、その外観からは該折畳み式柵部品４０が全く見えない。
【００１９】
該折畳み式ペットかごＡの折り畳んだ状態（図３）の外部形態から見れば、該収納バックフレーム体１０と回転収納可能な座板２０だけが見られるが、この二つの部品の形態設計を生かして、従来のペットかごの形式を突破して、飾り物として用いられるが、それはまず、図３を例にするが、収納バックフレーム体１０の頂板１３は屋根のように逆Ｖの曲がった形態に形成されて設けられ、該収納バックフレーム体１０と回転収納可能な座板２０との方形形態は、ハウス本体の形態になり、該装飾パネル部３０は間隔の置かれる縦縞形態に設けられ、木造小屋のようになり、それにより、該折畳み式ペットかごＡは折り畳んだ状態になると、屋内のどこに置いてもよいハウス形式の飾り物に変わる。
【００２０】
図５に示すように、該折畳み式ペットかごＡ２構造形態のもう一つの実施例であり、本実施例では、該収納バックフレーム体１０Ｂの頂板１３Ｂは物置台１６が形成され、該物置台１６は平面形式、階段形式、または物置框体形式に設けられてもよいが、該物置台１６の設置により、該折畳み式ペットかごＡは折り畳んだとき、同時に置物棚の機能を兼ね備え、そこに飾り物や日常品などを置いてもよい。
【００２１】
本実施例では、該折畳み式柵部品４０の前柵４１と側柵４２のいずれかの一つには更に、可動扉５０を設けて、ペットが出入りできる開閉式開き口が形成される、また、図６に示すように、本実施例に掲示した装飾パネル部３０Ｂは、框付き絵の形態に設けられ、それによって、該折畳み式ペットかごＡ２は折り畳んだとき、絵立て（また写真立て）の飾り物になる。
【００２２】
図７に示すように、折畳み式ペットかごＡ３は、収納バックフレーム体１０Ｃの頂板１３Ｃに更に取っ手１７を設けて、該折畳み式ペットかごＡ３全体を手にして、持ち歩ける便利なものになる。
【００２３】
図８に示すように、折畳み式ペットかごＡ４は、該折畳み式柵部品４０の二側柵４２Ｂが折曲げ式枠板形態（二枚式折り曲げまたは数枚式折り曲げ形態でもよい）に設けられ、それにより、該二側柵４２Ｂは折り畳んだとき、折り曲げた形態を該収納バックフレーム体１０にある収納空間１５に納められ、もう一つの具体的な実施形態として提供される。
【符号の説明】
【００２４】
Ａ、Ａ２、Ａ３折畳み式ペットかご
１０、１０Ｂ、１０Ｃ収納バックフレーム体
１１  着地板
１２  側板
１３、１３Ｂ、１３Ｃ頂板
１４  裏板
１５  収納空間
１６  物置台
１７  取っ手
２０  回転収納可能な座板
２１  支持パネル
２２  接続側
２３  突出止め縁
３０  装飾パネル部
４０  折畳み式柵部品
４１  前柵
４２、４２Ｂ側柵
４３  位置決めユニット
５０  可動扉
【図１】
0003153359.tif 000003
【図２】
0003153359.tif 000004
【図３】
0003153359.tif 000005
【図４】
0003153359.tif 000006
【図５】
0003153359.tif 000007
【図６】
0003153359.tif 000008
【図７】
0003153359.tif 000009
【図８】
0003153359.tif 000010